(57)【要約】      （修正有）【課題】ベルトを締めた状態で身体の状態により変化する腹部圧迫感を軽減するベルトとバックルの連結具を提供する。【解決手段】バックル軸部４２を保持する伸縮部２と、ベルト５を咬着する基端咬着部３とで構成される。伸縮部はスライド部分２１を備える。【選択図】図１
0003178788.tif 000002
【実用新案登録請求の範囲】
【請求項１】
内部にスライド部分を備え、枠体の一辺もしくは板状の一部にベルトの一端を取り付ける軸部を備えたバックルの該軸部を保持するスペースを有した伸縮部と、ベルトを咬着する基端咬着部とで構成され、ベルトとバックルを連結させた状態で伸縮する機能を特徴としたベルトとバックルの伸縮連結金具。
【請求項２】
枠体の一辺もしくは板状の一部にベルトの一端を取り付ける軸部を備えたバックルに限らず、ベルトの一端を取り付ける軸部を持つバックルであればバックル保持スペースに装着することが出来ることを特徴とした伸縮部と、ベルトを咬着する基端咬着部とで構成され、ベルトとバックルを連結させた状態で伸縮する機能を特徴とし請求項１記載のベルトとバックルの伸縮連結金具。
【請求項３】
内部にスライド部分を備えたバックル軸部を保持するスペースを有した伸縮部とベルトを咬着する基端咬着部から構成され、スライド部分に設けられたベルト側を上辺とする台形型の嵌合部を板バネで掴持することにより、ベルトを身体に装着した際、身体の状况変化より腹部を圧迫する力がベルトに加わればスライド部分がベルト方向に移動し台形型の嵌合部が板バネを開き全長が伸びることとなり腹部圧迫感を緩和し、圧迫する力が解除されれば板バネの復元力にて元のベルトのサイズに戻ることを特徴とした請求項１及び２記載のベルトとバックルの連結金具。
【考案の詳細な説明】
【技術分野】
【０００１】  本考案は、ベルトの身体への装着時において自動的に長さを調整する機能を有したバックルとベルトの連結金具に関するものである。
【背景技術】
【０００２】  ベルトをウエストに装着する時はバックルにより掛止されるが、例えば身体が立った状態あるいは座った状態あるいはしゃがんだ状態や空腹時と満腹時でのウエストサイズは微妙に変化し、腹部に圧迫感を感じることがある。
【先行技術文献】
【特許文献】
【０００３】特開２００３−２３５６１２
【考案の概要】
【考案が解決しようとする課題】
【０００４】  ベルトを一旦ウエストに装着すれば、前記のような状況によりウエストサイズが微妙に変化し腹部に圧迫感を感じることがあるが、これを解消する為には一旦ベルトからバックルを係脱し再度状況に応じたサイズでベルトを締め直さなければならない。【０００５】  しかし、こうした小まめな調整は手間であるばかりでなく見た目も悪く、更にベルトにも損傷や消耗などの負担をかけるためベルトの耐久性にも影響がある。【０００６】  ウエストサイズの微妙な変化による腹部の圧迫感を軽減させるためには、ベルト自体をゴムのような伸縮素材にすれば一定の効果は期待できるが、例えば紳士用のベルトでのファッション性などを考慮するとデザイン的に問題がある。
【課題を解決するための手段】
【０００７】  内部にスライド部分を備え、枠体の一辺もしくは板状の一部にベルトの一端を取り付ける軸部を備えたバックルの該軸部を保持するスペースを有した伸縮部と、ベルトを咬着する基端咬着部とで構成され、ベルトとバックルを連結させた状態で伸縮する機能を特徴としたベルトとバックルの伸縮連結金具を解決手段とする。【０００８】  枠体の一辺もしくは板状の一部にベルトの一端を取り付ける軸部を備えたバックルに限らず、ベルトの一端を取り付ける軸部を持つバックルであればバックル保持スペースに装着することが出来ることを特徴とした伸縮部と、ベルトを咬着する基端咬着部とで構成され、ベルトとバックルを連結させた状態で伸縮する機能を特徴としたベルトとバックルの伸縮連結金具を解決手段とする。【０００９】  内部にスライド部分を備えたバックル軸部を保持するスペースを有した伸縮部とベルトを咬着する基端咬着部から構成され、スライド部分に設けられたベルト側を上辺とする台形型の嵌合部を板バネで掴持することにより、ベルトを身体に装着した際、身体の状況変化より腹部を圧迫する力がベルトに加わればスライド部分がベルト方向に移動し台形型の嵌合部が板バネを開き全長が伸びることとなり腹部圧迫感を緩和し、圧迫する力が解除されれば板バネの復元力にて元のベルトのサイズに戻ることを特徴としたベルトとバックルの連結金具を解決手段とする。
【考案の効果】
【００１０】  バックルにベルトを咬着する基端咬着体としての本来の目的以外に伸縮作用を持たせる事により、状況により変化した際の腹部圧迫感を緩和するものであり、状況が改善されれば伸びた状態から元に戻るため腹部では常に同じような装着感を保つことが出来る。【００１１】  外観から伸縮機能を感じさせることなくベルトを使用出来るので、ファッション的に優れている。
【図面の簡単な説明】
【００１２】
【図１】本考案のバックルとベルトの伸縮連結金具の構成の斜視図であり、（ａ）は基本の状態、（ｂ）はスライド部分がベルト方向に移動し全長が伸びた状態を示す説明図である。
【図２】本考案のバックルとベルトの伸縮連結金具を裏面から見た組立分解図である。
【図３】本考案のバックルとベルトの伸縮連結金具の裏蓋２２を省略し裏面から見た構造図であり、（ａ）は基本の状態を示し、（ｂ）はスライド板がベルト方向に移動することにより、板バネ広げている状態を示している。
【考案を実施するための形態】
【００１３】  本考案のバックルとベルトの伸縮連結金具１はベルトに取付けて使用するという特性上、伸縮部２に対し公知のベルト咬着及び長さ調節機能を有した基端咬着部３を組み合わせても伸縮連結機能は損なわれない。
【００１４】  ベルトとバックルを連結させる機能において、バックルは枠体の一辺に軸部を持つものに限らずベルトの一端を取り付ける軸部を持つバックルであれば、バックル保持スペースに装着することが出来るので、ベルト通し２５は連結するバックルの形状によりこれを有さない場合もある。
【００１５】  以下、本考案を図面に基づき説明する。
図１は本考案のバックルとベルトの伸縮連結金具の構成を示す。
図１（ａ）は本考案のバックルとベルトの伸縮連結金具１を使用しバックル４とベルト５を連結した一例を示す斜視図である。（ｂ）は前記の連結状態のベルトとバックルの伸縮連結金具１の伸縮部２からスライド部２１がベルト５方向に移動し、ベルトとバックルの伸縮連結金具１の全長が伸びている。
【００１６】  図１においてバックル４はベルトの一端を取り付ける軸部４２を備え、軸部４２にはベルトの穴に係止するためのピン４１が枢着されている。これはバックルの一例であり、本考案によればベルトの一端を取り付ける軸部があればバックル軸部保持スペース２６に装着することができ、伸縮部２内部のスライド部分２１に対して影響を及ぼすことがないので、軸部を備えたバックルとの伸縮連結機能を持たせることが出来る。
【００１７】  図２のバックルとベルトの伸縮連結金具１の分解図に示したように、該バックルとベルトの伸縮連結金具１はバックル軸部４２を保持するスペース２６を有した伸縮部２と伸縮部２内部のスライド部分２１及びベルトの基端を咬着する基端咬着部３とで構成されている。スライド部分２１は、両辺に脱落防止切り込み２１４を備えたスライド板２１１、該スライド板２１１には貫通するスライドガイド穴２１３があけられたベルト側を短辺とした台形状のバネ嵌合部２１２が形成されており、該バネ嵌合部２１２はバネ侠装部２０５に侠装された板バネＡ２３及び板バネＢ２４で掴持され、スライド部分２１はバネ嵌合部２１２中央のスライドガイド穴２１３に対応する円柱状のガイド芯２０２及び裏蓋２２を挿通させたネジ２７でネジ穴２０４により侠持されている。
【００１８】  図３は、本考案のバックルとベルトの伸縮連結金具の裏蓋２２を省略し裏面から見構造図である。ベルトを身体に装着した時のベルトとバックルの伸縮連結金具１の状態は図３（ａ）によって示されているが、身体の状況変化よりベルト長手方向に延伸する力が掛かることにより（ｂ）の様にスライド部分２１がベルト方向に移動するため、台形型のバネ嵌合部２１２が板バネＡ２３及び板バネＢ２４を開く。延伸する力が解除されれば伸縮部２の内側のバネ係止壁２０１により設けられたバネ侠装部分２０５に設置された板バネＡ２３及び復元力の補助的な役割としてバネ嵌合部２１２に対して外側に位置する板バネＢ２４との復元力によって元のベルトのサイズに戻ることが可能となる。
【００１９】  スライド部分２１の伸縮部２からの抜け落ち防止については、スライドガイド穴２１３とスライドガイド芯２０２により確保されるが、収縮部内側の抜け落ち防止片２０３とスライド部分抜け落ち防止切り込み２１４との組み合わせで補強している。
【００２０】  伸縮部２にバックル４を枢着する場合は、該伸縮部２に設けられた屈曲部分２０６内側の軸部保持スペース２６に軸部を装着し裏蓋２２の軸部押止片２２１と屈曲部分２０６を合わせ、伸縮部２のバックル側角２箇所のネジ穴２０４とスライドガイド芯２０２に設けられたネジ穴２０４にネジ２７で押止し枢着する。
【００２１】  バックルとベルトの伸縮連結金具１の中にベルト側にスライドする伸縮部分２１を内蔵し基端咬着部分３と一体化させた事により、ベルトを身体に装着した時にベルトの伸びた状態を人に悟られることなく腹部の圧迫感を軽減させる。
【００２２】  基端咬着部３については、公知の基端咬着と同様に、ベルト挿入部分３１と基端咬着体３２から構成され、芯３３により基端咬着体３２に開けられた芯受け穴３５に芯用穴３４を通して軸着される。
【符号の説明】
【００２３】１          バックルとベルトの伸縮連結金具
２          伸縮部
２０１      バネ係止壁
２０２      スライドガイド芯
２０３      抜け落ち防止片
２０４      ネジ穴
２０５      バネ侠装部分
２０６      屈曲部分
２１        スライド部分
２１１      スライド板
２１２      バネ嵌合部
２１３      スライドガイド穴
２１４      抜け落ち防止切り込み
２２        裏蓋
２２１      軸部押止片
２２２      ネジ穴
２３        板バネＡ
２４        板バネＢ
２５        ベルト通し
２６        バックル軸部保持スペース
２７        ネジ
３          基端咬着部
３１        ベルト挿入部分
３２        基端咬着体
３３        芯
３４        芯用穴
３５        芯受け穴
４          バックル
４１        ピン
４２        バックル軸部
４３        枠体
５          ベルト
【図１】
0003178788.tif 000003
【図２】
0003178788.tif 000004
【図３】
0003178788.tif 000005
【手続補正書】
【提出日】平成24年7月5日(2012.7.5)
【手続補正１】
【補正対象書類名】実用新案登録請求の範囲
【補正対象項目名】全文
【補正方法】変更
【補正の内容】
【実用新案登録請求の範囲】
【請求項１】
一部がベルトの一端を取り付ける軸部を持ったバックルと、ベルトとバックルの連結金具であって、上記軸部を保持する伸縮部と、ベルトの基端を咬着する基端咬着部とからなり、伸縮部にはスライド部分を備え、そのスライド部分は、ベルト長手方向に延伸する力が加わる事で伸縮部内部のスライド部分がベルト長手方向に移動し、連結金具の全長が伸びるようにした事を特徴としたベルトとバックルの連結金具。
【請求項２】
前記スライド部分は基端咬着部のバックル側に設けられたスライド板に、厚み方向に貫通するスライドガイド穴が空けられたベルト側を短辺とする台形状のバネ嵌合部で構成されており、該バネ嵌合部は伸縮部内のスライドガイド芯に嵌装され、かつバネ侠装部に設けられたバネで掴持されており、ベルト長手方向に延伸する力が掛かることによりスライド部分がベルト方向長手方向に移動し連結金具の全長が伸びる事でバネ嵌合部がバネを開き、延伸する力が解除されるとバネの復元力により元の長さに戻る事を特徴とした請求項１に記載のベルトとバックルの連結金具。